(57)【要約】【課題】  比較的大きな羽毛布団等を、嵩張らないように袋内に圧縮して収納するときにも、ファスナによる閉鎖を容易且つ迅速に行なうことができる収納用袋体を提供する。【解決手段】  収納空間を形成可能であるとともに開口９を有する本体部２と、開口９に対してファスナ６により封止可能な蓋部３とを備えた収納用袋体１であって、本体部２のファスナ６が取り付けられた範囲の大部分に、収納作業を補助するための収納補助片（側面側補助片７，正面側補助片８）を、開口９の近傍におけるファスナ６よりも収納空間側に設けたものである。【選択図】図１
0003224747.tif 000002
【実用新案登録請求の範囲】
【請求項１】
収納空間を形成可能であるとともに開口を有する本体部と、前記開口に対してファスナにより封止可能な蓋部とを備えた収納用袋体であって、
前記本体部の前記ファスナが取り付けられた範囲の大部分に、収納作業を補助するための収納補助片を、前記開口の近傍における前記ファスナよりも収納空間側に設けたことを特徴とする収納用袋体。
【請求項２】
前記本体部を、略矩形状の底面と該底面の周縁から上方に立ち上がる四側面とを有するものとし、前記収納補助片を、前記本体部の角部を除く、前記ファスナが取り付けられた全ての範囲に設けてなる請求項１記載の収納用袋体。
【請求項３】
前記収納補助片が、該収納補助片を押圧して収納物を前記本体部の内側へ押し込むための剛性を有してなる請求項１又は２記載の収納用袋体。
【請求項４】
前記収納補助片を複数有するとともに、収納状態において該複数の収納補助片が互いに掛止可能となる掛止手段を有してなる請求項１乃至３記載の何れか１項に記載の収納用袋体。
【請求項５】
前記掛止手段が、前記収納補助片の一部を切り欠いて、又は、切り目を入れて構成したものである請求項４記載の収納用袋体。
【請求項６】
前記収納用補助片が折れ曲がり可能な板状部材で構成されてなる請求項１乃至５の何れか１項に記載の収納用袋体。
【請求項７】
前記ファスナのスライダの可動範囲の始点及び終点を、前記収納用補助片が取り付けられた範囲内に規制する規制手段を設けてなる請求項１乃至６の何れか１項に記載の収納用袋体。
【考案の詳細な説明】
【技術分野】
【０００１】
本考案は、布団や衣類等の収納用袋体に関わり、更に詳しくは、比較的大きな羽毛布団等を嵩張らないように袋内に軽く圧縮して収納するときにも、ファスナによる開口の閉鎖を容易且つ迅速に行なうことができる収納用袋体に関するものである。
【背景技術】
【０００２】
従来、収納袋として、嵩張った羽毛布団や衣類等の収納物を、圧縮パックを使用せずに約半分の体積に収納することが可能なものがある（特許文献１参照）。
【０００３】
この収納袋は、底面及び平面をその間の四側面を有した不織布製の収納袋であって、平面三辺とそれに接する側面部にファスナを備え、収納袋の内側の側面部の上辺二箇所に布団を押さえるための芯板とその芯板を押さえるためのベルトを取り付けているものであり、これにより、布団の嵩を減らすことができるものである。
【０００４】
しかし、このような収納袋では、比較的大きな羽毛布団を収納袋内に入れた後に、側面部の上辺に設けられた二枚の芯板で、羽毛布団を押さえながらファスナで袋を閉めることとなるが、このとき、芯板によって押さえられていない部分の羽毛布団がより一層大きく膨れ上がり、ファスナの上にも覆いかぶさってしまうため、これを手で収納袋内に押し込みながらファスナを閉めていく必要があり煩雑な作業となっていた。また、この作業を確実に行わないと、羽毛布団をファスナで挟んでしまい、羽毛布団を傷めてしまう虞があった。
【先行技術文献】
【特許文献】
【０００５】
【特許文献１】実用新案登録第３１８５０６９号公報
【考案の概要】
【考案が解決しようとする課題】
【０００６】
そこで、本考案が前述の状況に鑑み解決しようとするところは、比較的大きな羽毛布団等を、嵩張らないように袋内に圧縮して収納するときにも、ファスナによる閉鎖を容易且つ迅速に行なうことができる収納用袋体を提供する点にある。
【課題を解決するための手段】
【０００７】
本考案に係る収納用袋体は、前記課題解決のために、収納空間を形成可能であるとともに開口を有する本体部と、前記開口に対してファスナにより封止可能な蓋部とを備えた収納用袋体であって、前記本体部の前記ファスナが取り付けられた範囲の大部分に、収納作業を補助するための収納補助片を、前記開口の近傍における前記ファスナよりも収納空間側に設けたものである。
【０００８】
この構成によれば、比較的大きな羽毛布団等を、嵩張らないように袋内に圧縮して収納するときにも、ファスナによる閉鎖を容易且つ迅速に行なうことができる。
【０００９】
ここで、前記本体部を、略矩形状の底面と該底面の周縁から上方に立ち上がる四側面とを有するものとし、前記収納補助片を、前記本体部の角部を除く、前記ファスナが取り付けられた全ての範囲に設けてもよい。
【００１０】
この構成によれば、布団などがあまり膨れ上がってくることのない角部を除く全てのファスナの可動範囲に収納補助片が設けられるため、ファスナによる閉鎖作業をより適切に行うことが可能となる。
【００１１】
また、前記収納補助片が、該収納補助片を押圧して収納物を前記本体部の内側へ押し込むための剛性を有してなるものであってもよい。
【００１２】
この構成によれば、収納物の本体部内側への収納作業が容易となり、収納用袋体としてより有用なものとすることができる。
【００１３】
さらに、前記収納補助片を複数有するとともに、収納状態において該複数の収納補助片が互いに掛止可能となる掛止手段を有してなると好ましい。
【００１４】
この構成によれば、収納状態において収納補助片を互いに掛止させておくことで、この収納状態で収納物を保持することができ、収納作業をより容易に行うことができる。
【００１５】
さらにまた、前記掛止手段が、前記収納補助片の一部を切り欠いて、又は、切り目を入れて構成したものとしてもよい。
【００１６】
この構成によれば、簡易な構成で掛止手段を構成することができる。
【００１７】
また、前記収納用補助片が折れ曲がり可能な板状部材で構成されてなるとより好ましい。
【００１８】
この構成によれば、収納補助片を変形させ易く互いの互いの掛止等を行いやすく構成することができる。また、収納用袋体の全体を小さく折り畳むことができるものとすることも可能となる。
【００１９】
さらに、前記ファスナのスライダの可動範囲の始点及び終点を、前記収納用補助片が取り付けられた範囲内に規制する規制手段を設けることもできる。
【００２０】
この構成によれば、規制手段によってファスナのスライダの可動範囲を限定することで、収納補助片による効果を確実に発揮させることができる。
【考案の効果】
【００２１】
本考案に係る収納用袋体によれば、比較的大きな羽毛布団等を、嵩張らないように袋内に圧縮して収納するときにも、ファスナによる閉鎖を容易且つ迅速に行なうことができる。
【図面の簡単な説明】
【００２２】
【図１】本考案の実施形態に係る収納用袋体に羽毛布団を入れた状態を示す斜視図である。
【図２】同じく収納用袋体に羽毛布団を入れて正面側補助片を内側に配置させた状態を示す斜視図である。
【図３】同じく収納用袋体に羽毛布団を入れて正面側補助片及び側面側補助片を内側に配置させ、これらを互いに掛止させた状態を示す斜視図である。
【図４】同じく収納用袋体に羽毛布団を収納した状態を示す斜視図である。
【図５】同じく収納用袋体に羽毛布団を収納した状態のファスナの端部の構成を示す部分拡大図である。
【図６】同じく収納用袋体の補助片の構成を示す部分断面図である。
【図７】本考案の別の実施形態に係る収納用袋体に羽毛布団を入れた状態を示す斜視図である。
【考案を実施するための形態】
【００２３】
以下、本考案の実施形態を添付図面に基づき詳細に説明するが、本考案は、添付図面に示された形態に限定されず特許請求の範囲に記載の要件を満たす実施形態の全てを含むものである。
【００２４】
本明細書では、図１における収納用袋体１の蓋部３が設けられている側を後側、この反対側を前側とし、収納用袋体１の本体部２の前側を正面側、この反対を背面側とする。また、大部分とは、ほとんどの部分、つまり、ある領域内における約７割以上を占める部分のことをいい、例えば、矩形状については、角部分を除く直線状部分などが該当するものとする。さらに、収納物を本体部の内側へ押し込むための剛性とは、可撓性の有無に拘わらず、使用者による外側からの押圧力によって収納物を押し込むことができる程度の剛性をいい、例えば、使用者が手で押圧した場合に、予定されていない部分が折れ曲がって不都合が生じ難い程度の剛性が該当するものとする。
【００２５】
まず、本実施形態に係る収納用袋体１の構成について説明する。
【００２６】
本実施形態に係る収納用袋体１は、図１に示すように、収納空間を形成可能であるとともに開口９を有する本体部２と、前記開口９に対してファスナ６により封止可能な蓋部３とを備えた収納用袋体１であって、前記本体部２の前記ファスナ６が取り付けられた範囲の大部分に、収納作業を補助するための収納補助片７，８を、前記開口９の近傍における前記ファスナ６よりも収納空間側に設けたものである。
【００２７】
ここで、収納用袋体１は、主に羽毛布団等を圧縮して収納するために使用するものであるが、これに限定されず、例えば衣類等、他の圧縮可能なものや圧縮不可能なものの収納用袋体としても使用することができる。また、収納用袋体１は袋のようなものに限らず、収納空間を形成する蓋の機能を有するものが備わっていればよく、勿論箱や容器等であってもよい。さらに、これらの形状についても図示するものに限られない。
【００２８】
本体部２は、略矩形状の底面とこの底面の周縁から上方に立ち上がる四側面とを有する箱体であって、全体が可撓性を有する不織布で形成されたものである。本体部２の上方には開口９が形成され、この開口９を塞ぐための蓋部３が本体部２に一体的に設けられている。
【００２９】
蓋部３は、本体部２の後側の側面を上方に延長して形成されている。この蓋部３は、開口９の形状に合わせた横長の略長方形状であって、本体部２との連結部分以外の三辺にはファスナ６のエレメント４が設けられている。このエレメント４が本体部２の開口９に設けられたエレメント４と、スライダ５によって噛み合わせられることで、開口９が閉ざされることとなる。なお、この蓋部３は一枚で機能するものとして構成されているが、二枚以上で機能するものであってもよい。
【００３０】
ファスナ６は、本体部２の開口９を蓋部３で封止するために用いられるものであり、開口９と蓋部３の周縁の夫々にエレメント４，４が設けられ、これらのエレメント４，４に沿って移動することで開放状態と閉鎖状態とを変更するスライダ５が設けられ、これらのエレメント４，４及びスライダ５により構成されているものであって、線ファスナとも呼ばれるものである。このファスナ６の若干下側（収納空間の奥側）には、収納補助片７，８が設けられている。
【００３１】
また、ファスナ６の端部には、スライダ５の移動範囲を規制する規制手段として端部カバー１０が設けられている。この端部カバー１０が設けられていることによって、スライダ５は、通常の移動操作では、この端部カバー１０を超えて移動することができず、その移動範囲を規制されることとなる。なお、端部カバー１０とエレメント４との間には、若干の隙間が形成されているため、スライダ５は、通常の移動操作では入り込まないものの、スライダ５を倒して隙間に挿入するように移動させることで、この隙間にスライダ５を収納することもできるものとなっている。
【００３２】
本体部２には収納補助片７，８として、左右の側面側に側面側補助片７，７と、正面側に正面側補助片８とが形成されている。これらの収納補助片７，８は、ファスナ６が取り付けられた範囲内の大部分をカバーするように設けられている。
【００３３】
側面側補助片７は一定の剛性を有するため、羽毛布団Ｆ等の収納物を押し込む際に、使用者が手でこれを内側に押し込んでいくことで、側面側補助片７が広い範囲で羽毛布団Ｆを内側へ押し込むとともに、ファスナ６のエレメント４上に羽毛布団Ｆが覆い被さらない状態とすることができる。また、側面側補助片７は、掛止手段として切欠き７ａが形成されているため、この切欠き７ａを隣接する正面側補助片８に掛止させることで、これらが連結されて羽毛布団Ｆを収納状態で保持することができるものとなっている。さらに、側面側補助片７の長手方向（水平方向）における略中央には、折り目７ｂが形成されているため、収納用袋体１を小さく折り畳んで収納することができ、また、隣接する正面側補助片８への掛止を容易に行うことができるものとなっている。
【００３４】
正面側補助片８は、側面側補助片７と略同一の構成であって、一定の剛性を有するとともに、長手方向における略中央に折り目８ｂが形成され、掛止手段として切欠き８ａが形成されているが、この切欠き８ａの具体的な形状は横長の長方形状であり、切欠き７ａの三角形状とは異なるものとなっている。正面側補助片８は、これらの構成によって側面側補助片７と略同一の効果を得られるものとなっている。
【００３５】
次に、図１乃至図４に沿って、本実施形態に係る収納用袋体１に、羽毛布団Ｆを収納する方法を説明する。
【００３６】
最初に、図１に示すように、蓋部３、側面側補助片７，７及び正面側補助片８を外側に広げた状態で、折り畳んだ羽毛布団Ｆを、収納用袋体１の本体部２内の収納空間に入れる。このとき、羽毛布団Ｆが比較的大きく嵩張るものであるため、収納用袋体１の開口９から外方に大きくはみ出すこととなる。
【００３７】
その後、図２に示すように、正面側補助片８を内側に押し込む。このとき、羽毛布団Ｆを正面側補助片８とともに、本体部２内に押し込むように、全体を押圧する。
【００３８】
そして、図３に示すように、正面側補助片８を押し込みながら、二枚の側面側補助片７，７を内側に押し込む。このとき、羽毛布団Ｆを側面側補助片７とともに、本体部２内に押し込みつつ、正面側補助片８に掛止させる。この掛止作業は、正面側補助片８の切欠き８ａに、二枚の側面側補助片７，７の切欠き７ａ，７ａを引っ掛けるようにして行なう。なお、正面側補助片８と側面側補助片７，７の順番は上述したものに限らず、例えば、側面側補助片７から始めるものとして収納作業を行なうこともできる。
【００３９】
最後に、図４に示すように、ファスナ６のスライダ５を操作して、蓋部３によって本体部２の開口９を閉じて、収納作業は完了となる。
【００４０】
このとき、図５に示すように、ファスナ６の始点及び終点近傍に取り付けられた端部カバー（規制手段）１０によって、スライダ５の通常の開閉操作による可動範囲が規制される。この規制によって、スライダ５は、収納補助片７，８が設けられた範囲内で止まり、結果として、このファスナ６の始点及び終点近傍で収納作業中に羽毛布団Ｆがはみ出すことがなく、収納作業を容易且つ迅速に行なうことができる。
【００４１】
収納作業において、正面側補助片８と側面側補助片７，７の剛性が高いものであると、これらを掛止させることが困難となることも考えられるが、収納用袋体１では、図６に示すように、一定の剛性を有する二枚の芯板を若干の隙間を開けた状態で両面に不織布を貼り付けることで、正面側補助片８と側面側補助片７，７を構成し、折り目８ｂ，７ｂを形成しているため、これらの掛止の作業も容易に行い得るものとなっている。
【００４２】
図７には、本考案に係る収納用袋体の別の実施形態を示す。
【００４３】
収納用袋体１Ａは、上記収納用袋体１に、固定用ベルト１１を設けたものである。この固定用ベルト１１は、本体部２の開口９における左右の両短辺中央に設けられたものであり、互いに連結可能となる係合部を先端に設けている。固定用ベルト１１の使用方法としては、正面側補助片８及び側面側補助片７，７を収納状態とした後に、係合部同士を連結して固定することとなるが、この固定によって、正面側補助片８及び側面側補助片７，７の掛止を外れないようにすることができるとともに、収納状態の本体部２の全体形状を保持するように、作用させることができるものである。なお、本実施形態における、その他の構成については、収納用袋体１と同様であり説明は省略する。
【００４４】
以上の説明においては、収納用袋体は、本体部と蓋部とが一体的に構成されたものを示したが、これらは一体的なものに限らず、別体で構成されたものであってもよく、また、本体部や蓋部が複数の部材によって構成されるものであってもよいし、複数の収納空間が存在するものであってもよい。
【符号の説明】
【００４５】
１     収納用袋体
１Ａ   収納用袋体（固定用ベルト付き）
２     本体部
３     蓋部
４     エレメント
５     スライダ
６     ファスナ
７     側面側補助片（収納補助片）
７ａ 切欠き
７ｂ 折り目
８     正面側補助片（収納補助片）
８ａ 切欠き
８ｂ 折り目
９     開口
１０   端部カバー（規制手段）
１１   固定用ベルト
Ｆ     羽毛布団
【図１】
0003224747.tif 000003
【図２】
0003224747.tif 000004
【図３】
0003224747.tif 000005
【図４】
0003224747.tif 000006
【図５】
0003224747.tif 000007
【図６】
0003224747.tif 000008
【図７】
0003224747.tif 000009